(57)【要約】【課題】簡単な構造の器具を用いるだけで、洗浄し脱水した衣類を変色又は変色させることなく、短時間に脱水後の衣類を乾燥させることができ、かつ衣類の不快な臭いをも除去する。【解決手段】円筒形、封筒状、略三角形状、略四角形状又は略円形状の筒状に形成した網材からなる筒状本体２と、筒状本体２の周囲に形成した二重壁３内の複数のポケット９に着脱自在に取り付けた乾燥剤４と、筒状本体２の底面２ａに設けた開口部５に開閉自在になる蓋体６と、を備えた。【選択図】　　図１
2004073437.tif 000002
【特許請求の範囲】
【請求項１】
筒状に形成した網材からなる筒状本体（２）と、
該筒状本体（２）の周囲に形成した二重壁（３）内に、着脱自在に取り付けた乾燥剤（４）と、
該筒状本体（２）の底面（２ａ）に設けた開口部（５）に開閉自在になる蓋体（６）と、を備えた、ことを特徴とする速乾式乾燥器具。
【請求項２】
前記筒状本体（２）の二重壁（３）内面に、前記乾燥剤（４）を入れるポケット（９）を複数設けた、ことを特徴とする請求項１の速乾式乾燥器具。
【請求項３】
前記筒状本体（２）の一底面（２ａ）に、洗濯機（８）の洗濯・脱水槽（８ａ）の中央の突起（８ｂ）に嵌るような凹部（２ｂ）を、該筒状本体（２）の中心軸方向に形成した、ことを特徴とする請求項１の速乾式乾燥器具。
【請求項４】
前記筒状本体（２）の両底面（２ａ）の開口部（５）それぞれに開閉自在になる蓋体（６）を設けた、ことを特徴とする請求項１の速乾式乾燥器具。
【請求項５】
前記筒状本体（２）を略円筒形状に形成し、その両底面（２ａ）の周縁それぞれに可撓性を有する略円形状になる骨材（７）を取り付けた、ことを特徴とする請求項１、２、３又４の速乾式乾燥器具。
【請求項６】
前記筒状本体（２）が略封筒形状に形成したものである、ことを特徴とする請求項１の速乾式乾燥器具。
【請求項７】
前記略封筒形状に形成した筒状本体（２）の内面に、前記乾燥剤（４）を入れるポケット（９）を複数設けた、ことを特徴とする請求項６の速乾式乾燥器具。
【発明の詳細な説明】
【０００１】
【発明の属する技術分野】
本発明は、洗浄した洗濯物を脱水し、これを短時間に乾燥させるための速乾式乾燥器具に関するものである。
【０００２】
【従来の技術】
従来より、衣類等の洗濯物を洗濯するときは、衣類をそのまま洗濯機の洗濯槽（洗濯・脱水槽）に投入し、洗剤と共に水流を用いて洗浄し、次に洗剤を落とすためにすすぎ洗いをする。その洗濯物は、脱水槽を用いてそこから多くの水分を除去した後、干し場で乾燥させる。あるいは、その洗濯物を乾燥機、又は乾燥機付き洗濯機の乾燥機能で温風乾燥により乾燥させていた。
【０００３】
【発明が解決しようとする課題】
しかし、上記した従来の脱水後の乾燥機による洗濯物の乾燥では、温風による乾燥であるために約１時間程度の時間を要し、完全に乾燥させるための時間がかかるという問題を有していた。
【０００４】
また、乾燥機内は高温になるために、熱に弱い材質の衣類は変色したり、ボタンや生地が変形するといった不具合が生じやすいという問題を有していた。
【０００５】
本発明は、かかる問題点を解決するために創案されたものである。すなわち、本発明の目的は、簡単な構造の器具を用いるだけで、衣類を変色又は変色させることなく、短時間に脱水後の衣類を乾燥させることができ、かつ衣類の不快な臭いをも除去することができる速乾式乾燥器具を提供することにある。
【０００６】
【課題を解決するための手段】
本発明によれば、筒状に形成した網材からなる筒状本体（２）と、該筒状本体（２）の周囲に形成した二重壁（３）内に、着脱自在に取り付けた乾燥剤（４）と、該筒状本体（２）の底面（２ａ）に設けた開口部（５）に開閉自在になる蓋体（６）と、を備えた、ことを特徴とする速乾式乾燥器具が提供される。
【０００７】
前記筒状本体（２）の二重壁（３）内面に、前記乾燥剤（４）を入れるポケット（９）を複数設けることが好ましい。前記筒状本体（２）の一底面（２ａ）に、洗濯機（８）の洗濯・脱水槽（８ａ）の中央の突起（８ｂ）に嵌るような凹部（２ｂ）を、該筒状本体（２）の中心軸方向に形成した形成することができる。
【０００８】
前記筒状本体（２）の両底面（２ａ）の開口部（５）それぞれに開閉自在になる蓋体（６）を設け、前記筒状本体（２）を略円筒形状に形成し、その両底面（２ａ）の周縁それぞれに可撓性を有する略円形状になる骨材（７）を取り付けることができる。
【０００９】
前記筒状本体（２）が、略封筒形状に形成することができる。この筒状本体（２）の内面に、前記乾燥剤（４）を入れる複数のポケット（９）を設けること、が好ましい。
【００１０】
上記構成の速乾式乾燥器具（１）では、筒状本体（２）の開口部（５）から脱水した洗濯済みの洗濯物を入れ、この洗濯物と共に筒状本体（２）を洗濯機（８）の洗濯・脱水槽（８ａ）で回転させることにより、筒状本体（２）の二重壁（３）内面に設けたポケット（９）に入れた乾燥剤（４）でその洗濯物を乾燥させることができる。
特に、洗濯・脱水槽（８ａ）の回転により、衣類における水分を遠心力で外周へ移動させながら乾燥剤（４）にその水分を吸着させるという乾燥機構であるために短時間に乾燥させることができる。また、この乾燥剤（４）は、衣類等に含まれている臭いをも吸着させることができるので、脱臭することも可能である。
【００１１】
乾燥剤（４）は、筒状本体（２）の二重壁（３）内面に設けた複数のポケット（９）に入れて取り付けているために、給水率が低下した乾燥剤（４）を容易に交換することができる。前記筒状本体（２）の一底面（２ａ）に凹部（２ｂ）を形成したものは、この凹部（２ｂ）に洗濯機（８）の洗濯・脱水槽（８ａ）の中央突起（８ｂ）を嵌めることにより、速乾式乾燥器具（１）を安定した状態で回転させることができる。
【００１２】
前記筒状本体（２）の両底面（２ａ）に蓋体（６）を設けたものは、上下方向から洗濯物を容易に出し入れすることができると共に、中に入れた洗濯物が不用意に飛び出すことはない。また、筒状本体（２）を略円筒形状に形成し、その両底面（２ａ）それぞれに可撓性を有する略円形状になる骨材（７）を取り付けたものは、網材からなる筒状本体（２）自体が型崩れしないので、内部の洗濯物が広がりやすく、その洗濯物を効率良く乾燥させることができる。
【００１３】
一方、略封筒形状に形成した筒状本体（２）は、下着類とかワイシャツ等の小容量の洗濯物を容易に乾燥させることができる。この場合は、筒状本体（２）にある程度脱水した下着類を入れて、そのまま放置するだけでもその洗濯物を乾燥させることができる。
【００１４】
【発明の実施の形態】
以下、本発明の好ましい実施の形態を図面を参照して説明する。
図１は本発明の速乾式乾燥器具の第一の実施の形態を示す斜視図である。図２は本発明の速乾式乾燥器具を示す要部断面図である。図３は速乾式乾燥器具を洗濯機に入れた状態を示す斜視図である。図４は速乾式乾燥器具を乾燥機に入れた状態を示す斜視図である。
本発明の第一の実施の形態の速乾式乾燥器具１は、筒状に形成した網材からなる筒状本体２と、この筒状本体２の周囲に形成した網材の二重壁３内に取り付けた乾燥剤４と、この筒状本体２の底面２ａに設けた開口部５に開閉自在になる網材の蓋体６と、を備えたものである。
【００１５】
第一の実施の形態における筒状本体２は、合成樹脂製の網材を略円筒形状に形成したものであり、その両底面２ａ，２ａそれぞれに塩化ビニル等の可撓性を有する略円形状になる骨材７を取り付ける。この骨材７を取り付けることにより、筒状本体２を洗濯機８の洗濯・脱水層に入れたときに、その型崩れを防止して内部の洗濯物を広がりやすくして容易に乾燥させることができる。この骨材７の周縁にファスナー等で網材からなる蓋体６を開閉自在に取り付ける。なお、蓋体６は、このような筒状本体２の底面２ａのみに限定されず、側面に取り付けることも可能である。
【００１６】
筒状本体２の二重壁３内面に、図２に示すように、複数の乾燥剤４を入れるポケット９を複数設ける。このポケット９は、吸湿した乾燥剤４を容易に新たなものに交換できるようにするためである。また、筒状本体２の二重壁３の面内に均等に乾燥剤４を配置して効率良く内部の洗濯物を乾燥させるためである。
【００１７】
乾燥剤４には、いわゆる吸湿性を有する物質であり、例えば一般に乾燥剤として知られているシリカゲルを用いる。この他にも、消臭効果を有する合成ゼオライトや中国の炭鉱等で排出されるデシカイト等を用いることができる。また、この乾燥剤４は、衣類に含まれている臭いをも吸着させることができる。なお、吸湿性を有する物質であれば、これらの物質に限定されないことは勿論である。
【００１８】
このように構成した速乾式乾燥器具１では、筒状本体２の開口部５から脱水した洗浄済み洗濯物を入れる。この洗濯物と共に筒状本体２を、洗濯機８の洗濯・脱水槽８ａで回転させることにより、筒状本体２の二重壁３内面に配置した複数の乾燥剤４でその洗濯物を乾燥させることができる。洗濯・脱水槽８ａの回転により、衣類中の水分を遠心力で外周へ移動させながら乾燥剤４にその水分を吸着させる乾燥機構であるために短時間に乾燥させることができる。
【００１９】
一方、本発明の速乾式乾燥器具は図４に示すうように乾燥機１０に入れて使用することが可能である。この乾燥機１０に入れた速乾式乾燥器具１も回転槽１０ａの回転により、衣類における水分を遠心力で外周へ移動させながら乾燥剤４にその水分を吸着させ、短時間で乾燥させることができる。この乾燥機１０ではその温風と共に、速乾式乾燥器具１の乾燥剤４との相乗効果でより短時間で乾燥させることができる。
【００２０】
図５は筒状本体の更に他の実施の形態を示す要部断面図である。
筒状本体２の底面２ａには、洗濯機８の洗濯・脱水槽８ａの中央の突起８ｂに嵌るような凹部２ｂを、筒状本体２中心軸方向に形成することができる。この筒状本体２の凹部２ｂに洗濯機８の洗濯・脱水槽８ａの中央突起８ｂを嵌めることにより、速乾式乾燥器具１を安定した状態で回転させることができる。
【００２１】
図６は筒状本体の他の実施の形態を示す斜視図である。
筒状本体２の両底面２ａ，２ａの骨材７の周縁には、それぞれに蓋体６を開閉自在に取り付けることができる。このように２枚の蓋体６を取り付けることにより、筒状本体２の内部に間仕切り２ｃを設けることが可能になり、洗濯物同士の絡まりを防止することができる。
【００２２】
図７は本発明の速乾式乾燥器具の第二の実施形態を示す斜視図である。
第二の実施の形態における筒状本体２１は、合成樹脂製の網材を略封筒形状に形成したものであり、その開口部２１ａに開閉自在になる蓋体２２を取り付ける。この第二の実施の形態における筒状本体２１の内面にも乾燥剤４を入れるポケット９を複数設けてある。このように、略封筒形状に形成した筒状本体２１は、下着類とかワイシャツ等の小容量の洗濯物を容易に乾燥させることができる。この場合は、筒状本体２１にある程度脱水した下着類を入れて、そのまま放置するだけでもその洗濯物を乾燥させることができる。
【００２３】
なお、本発明は上述した発明の実施の形態に限定されず、袋状の網材からなる容器２，２１内に乾燥剤４と共に乾燥させる洗濯物を入れられる構造であれば、図示したような略円筒形状２や封筒形状２１に限定されず、略三角形状、略四角形状又は略円形状に形成することができ、本発明の要旨を逸脱しない範囲で種々変更できることは勿論である。
【００２４】
【発明の効果】
本発明の速乾式乾燥器具は、筒状本体の二重壁内のポケットに取り付けた乾燥剤を具備するので、洗濯・脱水槽の回転により、衣類中の水分を遠心力で外周へ移動させながら、その乾燥剤にその水分を吸着させるという乾燥機構であるために短時間に乾燥させることができる。
【００２５】
また、この乾燥剤は、衣類等に含まれている臭いをも吸着させることができるので、脱臭することも可能である。
【００２６】
更に、略封筒形状に形成した筒状本体では、下着類とかワイシャツ等の小容量の洗濯物を容易に乾燥させることができ、この筒状本体にある程度脱水した下着類を入れて、そのまま放置するだけでもその洗濯物を乾燥させることができる、等の効果がある。
【図面の簡単な説明】
【図１】本発明の速乾式乾燥器具の第一の実施の形態を示す斜視図である。
【図２】本発明の速乾式乾燥器具を示す要部断面図である。
【図３】速乾式乾燥器具を洗濯機に入れた状態を示す斜視図である。
【図４】速乾式乾燥器具を乾燥機に入れた状態を示す斜視図である。
【図５】筒状本体の更に他の実施の形態を示す要部断面図である。
【図６】筒状本体の他の実施の形態を示す斜視図である。
【図７】本発明の速乾式乾燥器具の第二の実施形態を示す斜視図である。
【符号の説明】
１　速乾式乾燥器具
２，２１　筒状本体
２ａ　底面
２ｂ　凹部
３　二重壁
４　乾燥剤
５　開口部
６　蓋体
７　骨材
８　洗濯機
８ａ　洗濯・脱水槽
９　ポケット
【図１】
2004073437.tif 000003
【図２】
2004073437.tif 000004
【図３】
2004073437.tif 000005
【図４】
2004073437.tif 000006
【図５】
2004073437.tif 000007
【図６】
2004073437.tif 000008
【図７】
2004073437.tif 000009